(57)【要約】【課題】  吸着導子の取り扱いが容易で、故障の少ない電気刺激装置用導子コネクター及びこれを備えた電気刺激装置を提供すること。【解決手段】人体皮膚表面に装着する複数の吸着導子３と、各吸着導子３の電気回路３１及び管路回路３２を電気刺激装置本体１８へ接続する導子コネクター１を有する電気刺激装置用導子セット２において、一個の導子コネクター１には吸着導子３のカップ内部に連通し負圧を与える管路接続部１１及び吸着導子３の電極に接続され低周波電力を与える電気接続部１２がそれぞれ一つ突起状に配設されており、管路接続部１１に複数の吸着導子３の管路回路３２の基端を接続し、且つ電気接続部１２に複数の吸着導子３の電気回路３１の基端を接続する構成により、一個の導子コネクター１を差し込むことで複数の吸着導子３を電気刺激装置本体１８へ接続可能としたことを特徴とする。【選択図】図１
2011062574.tif 000002
【特許請求の範囲】
【請求項１】
人体皮膚表面に装着する複数の吸着導子（３）と、各吸着導子（３）の電気回路（３１）及び管路回路（３２）を電気刺激装置本体（１８）へ接続する導子コネクター（１）を有する電気刺激装置用導子セット（２）において、
一個の導子コネクター（１）には吸着導子（３）のカップ内部に連通し負圧を与える管路接続部（１１）及び吸着導子（３）の電極に接続され低周波電力を与える電気接続部（１２）がそれぞれ一つ突起状に配設されており、
管路接続部（１１）に複数の吸着導子（３）の管路回路（３２）の基端を接続し、且つ電気接続部（１２）に複数の吸着導子（３）の電気回路（３１）の基端を接続する構成により、一個の導子コネクター（１）を差し込むことで複数の吸着導子（３）を電気刺激装置本体（１８）へ接続可能としたことを特徴とする電気刺激装置用導子セット。
【請求項２】
複数の吸着導子（３）はそれぞれ電気刺激装置本体（１８）へ電気回路（３１）及び管路回路（３２）を導くための可撓性のある導子コード（４）を有し、
一個の導子コネクター（１）に複数の吸着導子（３）の導子コード（４）を接続することを特徴とした請求項１記載の電気刺激装置用導子セット。
【請求項３】
導子コネクター（１）に設けられた電気接続部（１２）と管路接続部（１１）とを、別部位に併設したことを特徴とする請求項１または請求項２記載の電気刺激装置用導子セット。
【請求項４】
先端に電極が接続される電線（１０）は管路回路（３２）としてのチューブ（９）の外部に併設され、電気刺激装置本体（１８）から吸着導子（３）に至る管路回路（３２）に電気導通部（３１ｂ）及び電気接点部（３１ａ）が存在しないことを特徴とする請求項１ないし請求項３のいずれか一項に記載の電気刺激用導子セット。
【請求項５】
請求項１ないし請求項４のいずれか一項に記載の電気刺激装置用導子セットと、電気刺激装置本体（１８）を備えたことを特徴とする電気刺激装置。
【発明の詳細な説明】
【技術分野】
【０００１】
本発明は、電気刺激装置をもって人体表皮に吸着導子を吸着し低周波通電治療を行なう際の電気刺激装置用導子セット及びこれを備えた電気刺激装置に関する。
【背景技術】
【０００２】
従来技術の特開平９−１１７５１４号公報には、導子と、報知器からなる報知器付低周波治療器、及び、負圧コネクターと低周波コネクターとを一組にした吸引コネクターが開示されている。
【０００３】
従来技術の吸引コネクターは、チューブと電線が一個の吸引コネクターに接続されたので、チューブと電線に個別にコネクターが設けられるものに比して、差し込み作業が簡単になっている。
【０００４】
しかし、一本のチューブを一個のコネクターに接続しているので、一台の低周波治療器に多数セットの吸着導子を使用するものの場合、複数個の吸着導子とそのコネクターの整合確認に多くの手数が掛かかり、又、導子コネクターの一々の差し込み作業に多くの手数が掛かかり、不都合であった。
【先行技術文献】
【特許文献】
【０００５】
【特許文献１】特開平９−１１７５１４号公報
【発明の概要】
【発明が解決しようとする課題】
【０００６】
本発明の目的は、吸着導子の取り扱いが容易で、故障の少ない電気刺激装置用導子セット及びこれを備えた電気刺激装置を提供することにある。
【課題を解決するための手段】
【０００７】
即ち本発明は、人体皮膚表面に装着する複数の吸着導子（３）と、複数の吸着導子（３）の電気回路（３１）及び管路回路（３２）を電気刺激装置本体（１８）へ接続する導子コネクター（１）を有する電気刺激装置用導子セット（２）において、
一個の導子コネクター（１）には吸着導子（３）のカップ内部に連通し負圧を与える管路接続部（１１）及び吸着導子（３）の電極に接続され低周波電力を与える電気接続部（１２）がそれぞれ一つ突起状に配設されており、管路接続部（１１）に複数の吸着導子（３）の管路回路（３２）の基端を接続し、且つ電気接続部（１２）に複数の吸着導子（３）の電気回路（３１）の基端を接続する構成により、一個の導子コネクター（１）を差し込むことで複数の吸着導子（３）を電気刺激装置本体（１８）へ接続可能としたことを特徴とする電気刺激装置用導子セットである。
又、複数の吸着導子（３）はそれぞれ電気刺激装置本体（１８）へ電気回路（３１）及び管路回路（３２）を導くための可撓性のある導子コード（４）を有し、一個の導子コネクター（１）に複数の吸着導子（３）の導子コード（４）を接続する。
又、導子コネクター（１）に設けられた電気接続部（１２）と管路接続部（１１）とを、別部位に併設した。
又、先端に電極が接続される電線（１０）は管路回路（３２）としてのチューブ（９）の外部に併設され、電気刺激装置本体（１８）から吸着導子（３）に至る管路回路（３２）に電気導通部（３１ｂ）及び電気接点部（３１ａ）が存在しない。
又、電気刺激装置用導子セットと、電気刺激装置本体（１８）を備えたことを特徴とする電気刺激装置である。
【発明の効果】
【０００８】
本発明によれば、一個の導子コネクター１には管路接続部１１及び電気接続部１２がそれぞれ一つ突起状に配設されており、管路接続部１１に複数の吸着導子３の管路回路３２の基端を接続し、且つ電気接続部１２に複数の吸着導子３の電気回路３１の基端を接続する構成により、一個の導子コネクター１を本体受け部２２に差し込むことで複数の吸着導子３を電気刺激装置本体１８へ接続可能とした電気刺激装置本体１８へ接続可能としたので、導子コネクター１と電気刺激装置本体１８との接続が、少ない回数の差し込み作業で行なえ、通電準備作業の軽減が図れ、好都合である。
【０００９】
本発明は、導子コネクター１に、吸着導子３が接続された導子コード４を複数本接続するものである。従来技術は複数本の導子コードとこれと同数の導子コネクターを扱っていたが、本発明では、複数の導子コード４を一個の導子コネクター１に接続したので、導子コネクター１と電気刺激装置本体１８との接続が、少ない回数の差し込み作業で行なえ、通電準備作業の軽減が図れ、好都合である。
【００１０】
又、従来は一個の吸着導子に一個の導子コネクターが繋がっていたので、複数の吸着導子が有る中、選択した吸着導子及び導子コードと、これらに繋がる導子コネクターとを一々整合確認しなければならず面倒であったが、本発明では、複数本の導子コード４を一個の導子コネクター１に接続したので、導子コネクター１の個数が半減し、吸着カップ５と導子コネクター１との整合確認が簡単容易になり、好都合である。
【００１１】
本発明に係る導子コネクター１は、管路接続部１１と電気接続部１２とが併設されてなるから、本体受け部２２へ導子コネクター１を接続する作業が、一個の導子コネクター１の差し込み作業で済み、吸着導子セット２の準備が容易になり、好都合である。
【００１２】
本発明によれば、先端に電極が接続される電線１０は管路回路３２としてのチューブ９の外部に併設され、電気刺激装置本体（１８）から吸着導子３に至る管路回路３２に、電気導通部３１ｂ及び電気接点部３１ａが存在しない。よって、一個の導子コネクター１内において、管路接続部１１と、電気接続部１２が別部材として設けられ、負圧の伝達路の水分から電気の伝達路が分離し、電線１０が水分に接触しないので、電気路が接触不良を起こすことなく、吸着導子３の通電が良好に行なえ、好都合である。又、負圧の伝達路外に電気の伝達路が有るので、スケールやゴミ等によって管路が詰まることなく、吸着導子３の吸着が良好に行なえ、好都合である。
【００１３】
本発明に係る導子コネクター１に管路回路３２を分岐する分岐部１５が設けられたものである。前記導子コネクター１は、本体受け部２２に差し込み接続するが、管路を分岐したことにより、吸着導子３数に比して導子コネクター１の個数が半減し、該導子コネクター１と本体受け部２２との接続箇所が少なくなった。そのため、接続操作が楽になり、又、接続部分の故障も少なくなり、又、負圧部分での空気漏れも減り、好都合である。
【００１４】
また、本発明は上記の電気刺激装置用導子セットと、電気刺激装置本体１８を備えたことを特徴とする電気刺激装置であり、本発明を干渉低周波通電治療に用いると有益である。即ち、干渉低周波通電治療は、一方の二個の電極６ａ、６ｂでなる一方人体通電路に対して、他方二個電極６ｃ、６ｄでなる他方人体通電路を交差させ、該交差部に干渉電流を起こし患者に刺激を付与するものである。
【００１５】
干渉低周波通電治療時は一個の吸着カップ５内に二個の電極６を並設して構成された吸着導子３を二個用いる。干渉低周波治療に本発明を用いれば、導子コードの縺れなどが少なく、二個の導子コネクター１を電気刺激装置本体１８に差し込むと吸着導子セット２の接続が完了するので、通電準備に係る手数が軽減でき、好都合である。
【図面の簡単な説明】
【００１６】
【図１】本発明の第１実施例を示す断面図である。
【図２】本発明の第１実施例に係る導子コネクターの正面図である。
【図３】本発明の第１実施例に係る電気刺激装置の側面図である。
【図４】本発明の第１参考例に係る吸着導子セットの外観図である。
【図５】本発明の第２参考例に係る吸着導子セットの外観図である。
【発明を実施するための形態】
【００１７】
本発明の電気刺激装置１７を使用して患者に低周波治療を施す。電気刺激装置１７に繋がる吸着導子３を、患者表皮に吸着し低周波電流を通電する。
【００１８】
導子コネクター１は、複数の吸着導子３の管路回路３２及び電気回路３１を電気刺激装置本体１８へ差し込み接続する。前記管路回路３２は、電気刺激装置１７に内蔵された吸引ポンプ２０による負圧を吸着導子３に伝達し、前記電気回路３１は、電気刺激装置１７に内蔵された低周波電源１９による低周波電力を吸着導子３に伝達する。
【００１９】
吸着導子３の管路回路３２及び電気回路３１の複数個が導子コネクター１に接続される。即ち、一個の導子コネクター１に、前記管路回路３２及び電気回路３１の複数個が接続され、複数個の吸着導子３が接続されるものである。この構成は、電気刺激装置１７が持つ負圧及び低周波電力を、複数個の吸着導子３に分配する。
【００２０】
吸着導子３は、患者表皮に吸着し、電気刺激装置１７が有する低周波電力をもって患者に通電する。即ち、電気刺激装置１７に導子コネクター１を接続すると、電気刺激装置１７が有する負圧と低周波電力が、管路回路３２及び電気回路３１を介して複数の吸着導子３に伝導し、吸着導子３の吸着カップ５は患者表皮に吸着する。
【００２１】
吸着カップ５内に配設された二個の電極６（＝６ａ、６ｂ）は、吸着カップ５が人体に吸着している時、含水スポンジ８を介して人体に導通し、低周波電流を患者に通電する。
【００２２】
吸着導子３は、吸着導子３の電気回路３１及び管路回路３２を電気刺激装置本体１８へ導く導子コード４を有する。導子コード４は、吸着導子３を導子コネクター１に接続する可撓性の有る長尺部材であり、電気回路３１及び管路回路３２を包含する部材である。
【００２３】
導子コード４は、一個の導子コネクター１に複数個接続され、電気刺激装置本体１８が有する負圧と低周波電力を、複数の吸着導子３に伝導する。
【００２４】
導子コネクター１とは別に設けた分岐部１５には、複数の導子コード４が接続される。前記分岐部１５は、電気刺激装置本体１８が有する負圧を、該分岐部１５に繋がる複数の吸着導子３へ分岐し伝導する。
【００２５】
導子コネクター１に設けられた電気接続部１２と管路接続部１１とを、別部位に並設する。導子コネクター１には、電気接続部１２と管路接続部１１が並設されているので、該導子コネクター１を電気刺激装置本体１８へ差し込み接続する時、電気接続部（１２）と管路接続部（１１）が一挙に差し込める。
【００２６】
管路接続部１１は、電気刺激装置１７が発生する負圧を該電気刺激装置１７から導子コード４へ接続し伝導する。電気接続部１２は、電気刺激装置１７が発生する低周波電力を該電気刺激装置１７から導子コード４へ接続し伝導する。
【００２７】
導子コネクター１のうちの電気接続部１２のみを導子コネクター１から分離し別体に設け、電気接続コネクター２７となしている。電気接続コネクター２７と導子コネクター１は可撓な電線１０で繋がれている。上記構成の電気接続コネクター２７は、導子コネクター１とは別の操作で電気刺激装置本体１８へ差し込む。
【００２８】
電線１０を配管用チューブ９の外部に併設し、電気刺激装置１７から吸着導子３に至る管路回路３２に、電気導通部３１ｂ及び電気接点部３１ａが存在しない構成である。上記構成の電気回路３１（＝電気導通部３１ｂ及び電気接点部３１ａ）は、管路回路３２に触れない。
【００２９】
詳しく述べると、カップ内部２９には含水スポンジ８が取り付けられているため、管路回路３２には水分が存在する。電気回路３１の電気接点部３１ａは、電極６の端子３０に止着する部位であり、カップ内部２９から外部へ突出した部位である。又、電線１０は、チューブ９の外部に併接され、このような構成の電気回路３１及び電線１０は前記水分に接触しない。
【００３０】
導子コネクター１に設けられた分岐部１５は、管路を複数の導子コード４へ分岐する。即ち、分岐部１５は、電気刺激装置本体１８が発生した負圧を導子コネクター１へ伝導し、導子コネクター１内に伝導された負圧を、複数のチューブ９へ分岐・伝導し、更に、複数の吸着導子３に吸着作用を与える。
【００３１】
図１、２、３に本発明の第１実施例の吸着導子セット２を示している。吸着導子セット２は、導子コネクター１と、導子コネクター１に繋がる同構成の二本の導子コード４と、二本の導子コード４にそれぞれ一個ずつ繋がる同構成の吸着導子３とからなる。
【００３２】
吸着導子３は、吸着カップ５と、カップ内部２９に設けられる二個の電極６（＝電極６ａ、電極６ｂ）と、受け部７と、カップ内部２９に連通し負圧を与える管路回路３２と、電極６に接続され低周波電力を与える電気回路３１とからなる。前記電気回路３１は、導電部材でなり電極６に電力を導く電気導通部３１ｂと、該電気導通部３１ｂと電極６の接続部である電気接点部３１ａとを有する。通電治療時にはカップ内部２９に導電性を有する適宜な含水スポンジ８が収納される。
【００３３】
導子コネクター１は、硬質な樹脂容器と、該樹脂容器の正面外側には、円筒材でなり適宜長に突起した一個の管路接続部１１と、丸棒形状で適宜長さに突起した一個の電気接続部１２とが並設される。
【００３４】
導子コネクター１には、一個の入り口１３と該入り口１３に連通する二個の出口管１４を有する分岐部１５が内蔵され、前記入り口１３は、前記管路接続部１１に接続される。
【００３５】
分岐部１５に係る二個の出口管１４には、それぞれチューブ９の基端が接続される。即ち、一個の分岐部１５に、二本のチューブ９が接続される。チューブ９の先端には吸着カップ５が繋がっているので、一個の分岐部１５に二個の吸着カップ５が繋がることになる。
【００３６】
電気接続部１２には四本の電線１０の各基端が接続され、該各電線１０は、各導子コード４の外被体２５の中であって、チューブ９の外側に二本ずつ挿入され、外被体２５と同長に延設されている。
【００３７】
導子コード４を構成する一本のチューブ９及び二本の電線１０の各先端は、前記吸着導子３の受け部７に係着される。前記チューブ９は吸着カップ５内を負圧になし、二本の電線１０は一個のカップ内部２９にある二個の電極６ａ、６ｂのそれぞれの端子３０に低周波電力を付与する。一本のチューブ９、及び二本の電線１０の各基端は、一個の前記導子コネクター１に取着される。
【００３８】
図３に示す電気刺激装置１７は、電気刺激装置本体１８と、吸引ポンプ２０と、低周波電源１９等でなる。前記電気刺激装置本体１８には、導子コネクター１を受ける本体受け部２２が設けられる。
【００３９】
本体受け部２２と吸引ポンプ２０の間にはホース２１が接続され、本体受け部２２と低周波電源１９の間には筐体内電線２３が接続される。本体受け部２２に掛かっている負圧と低周波電力は、該本体受け部２２に差し込まれる導子コネクター１へ伝導され、更に、導子コネクター１から導子コード４等を介して吸着導子３へ伝導される。
【００４０】
尚、管路回路３２には、通常の使用時には負圧の空気が存在するが、空気に代わって水又は水蒸気等が存在することもある。図３中、１６はキャスター、２４は操作・表示パネルである。
【００４１】
電気刺激装置１７を用いて低周波治療を施すに際し、電気刺激装置本体１８の本体受け部２２に導子コネクター１を差し込む。一個の導子コネクター１を差し込む作業によって、管路接続部１１と電気接続部１２とを一挙に差し込み接続できる。
【００４２】
即ち、上記差し込みにより、管路接続部１１は負圧を、電気刺激装置本体１８側から吸着導子３側へと伝導し、電気接続部１２は低周波電力を、電気刺激装置本体１８側から吸着導子３側へと伝導する。負圧管路は負圧を有しこれをもって吸着導子３に吸引作用を生じさせ、電気路は低周波電力を有しこれをもって吸着導子３の電極６を加電する。
【００４３】
一個の導子コネクター１に二個の吸着導子３が接続されているので、一個の導子コネクター１を差し込めば、二個の吸着導子３の接続が完了する。
【００４４】
電気接続部１２の電気路に付いては、一個の吸着導子３当たり二個の電極６が設けられている故に、四個の電極６（＝電極６ａと電極６ｂ、及び、電極６ｃと電極６ｄ）に係る四本の電線１０が電気接続部１２に繋がれている。又、該電線１０は、二個の導子コネクター１にそれぞれ二本ずつに分かれて、二個の吸着導子３内の電極６に繋がれ、該電極６に電力を付与する。前記電線１０は、カップ内部２９及びチューブ９内の水又は水分に接触しない。
【００４５】
又、管路接続部１１の負圧管路には分岐部１５が接続され、該分岐部１５によって、負圧管路を二本のチューブ９へ分岐する。即ち、分岐部１５は、該分岐部１５に伝導された負圧（＝吸引力）を、二本のチューブ９に分岐し、二本のチューブ９を介して二個の吸着カップ５に付与する。
【００４６】
図４に示す第１参考例は、第１実施例に係る導子コネクター１内の分岐部１５を除去し、前記導子コネクター１とは別に、導子コード４の中途部へコード分岐部２６を設けたものである。
【００４７】
コード分岐部２６は、負圧管路を分岐するものである。コード分岐部２６の入口側は一本の導子コード４で導子コネクター１に接続され、出口側には二本の導子コード４が接続される。
【００４８】
導子コード４の中途部にあるコード分岐部２６に係属する電線１０は、入口側（＝導子コネクター１側）も出口側（＝吸着導子３側）も四本である。
【００４９】
又、コード分岐部２６係属するチューブ９は、入口側が一本、出口側が二本である。入口側の一本のチューブ９には四本の電線１０が併設され、出口側の、二本のチューブ９のそれぞれには二本の電線１０が併設される。電線１０は吸着導子３内の各電極６に一本ずつ接続される。
【００５０】
図５に示す第２参考例は、第１実施例の導子コネクター１のうちの電気接続部１２のみを導子コネクター１から分離し、別体の電気接続コネクター２７として設けたものである。
【００５１】
第２参考例では、電気接続コネクター２７が、管路接続部１１及び分岐部１５から分離独立した樹脂容器に設けられる。該電気接続コネクター２７から導子コネクター１までは電線１０で接続される。又、第２参考例では、導子コネクター１は具体的には管路用コネクター２８となる。
【００５２】
管路用コネクター２８には、導子コード４が二本接続され、該導子コード４のそれぞれの先端には吸着導子３が接続される。第３実施例の場合は、一個の導子セット２に電気用コネクター２７と管路用コネクター２８の二個のコネクターがある。電気刺激装置本体１８と導子セット２を接続する際は、本体受け部２２に前記二個のコネクターを差し込む。
【産業上の利用可能性】
【００５３】
本発明は、人体表皮に吸着導子を吸着し低周波通電治療を行なう際の電気刺激装置用導子セット及びこれを備えた電気刺激装置に利用でき、産業上の利用可能性は高いものである。
【符号の説明】
【００５４】
１    導子コネクター
２    吸着導子セット
３    吸着導子
４    導子コード
９    チューブ
１０    電線
１１    管路接続部
１２    電気接続部
１３    入り口
１４    出口管
１５    分岐部
１８    電気刺激装置本体
２６    コード分岐部
２７    電気接続コネクター
３１    電気回路
３１ａ  電気接点部
３１ｂ  電気導通部
３２    管路回路
【図１】
2011062574.tif 000003
【図２】
2011062574.tif 000004
【図３】
2011062574.tif 000005
【図４】
2011062574.tif 000006
【図５】
2011062574.tif 000007